(57)【要約】【課題】汎用性の高い食器洗浄機用噴射ノズルを提供する。【解決手段】食器洗浄機用噴射ノズル１０において、噴水部品２０には、ノズル本体１８に設けられた連通孔１９に対して選択的に位置合わせされる複数の噴射孔２１が設けられ、ノズル本体１８には、別部品としての噴水部品２０が回転自在に取り付けられている。よって、噴水部品２０を回しながら、任意の噴射孔２１と連通孔１９とを位置合わせすると、所望の噴射孔２１を任意に選択することができる。これにより、洗浄室Ｓの大きさやポンプの能力が異なっている食器洗浄機１であっても、噴射ノズル１０の共有化を図ることができ、このことは、製造コスト削減の一助をなすものである。また、利用される食器類は極めて多種多様に及ぶことに鑑みて、ユーザ毎に起こり得る要求に対して現地でも対応し易くなる。【選択図】  図２
2004305583.tif 000002
【特許請求の範囲】
【請求項１】
洗浄室内に配置されて、ノズル本体から前記洗浄室に向けて水を噴射する食器洗浄機用噴射ノズルにおいて、
前記ノズル本体に設けられた連通孔を覆うように前記ノズル本体に装着される噴水部品を備え、
前記噴水部品は、前記ノズル本体に対し回転自在に取り付けられると共に、前記噴水部品の回転にあたって前記連通孔に位置合わせされる複数の噴射孔を有することを特徴とする食器洗浄機用噴射ノズル。
【請求項２】
前記噴水部品は、リング状に形成されると共に、前記ノズル本体の外周に装着されて周方向に回転自在であり、前記噴射孔は、前記噴水部品の周方向に並ぶように配置されたことを特徴とする請求項１記載の食器洗浄機用噴射ノズル。
【請求項３】
前記噴水部品は、前記ノズル本体の外面に装着されて水平面上で回転自在であり、前記噴射孔は、前記噴水部品における回転軸線の周囲に環状に並ぶように配列されたことを特徴とする請求項１記載の食器洗浄機用噴射ノズル。
【発明の詳細な説明】
【０００１】
【発明の属する技術分野】
本発明は、食器洗浄機の洗浄室内に収容した食器類の洗浄やすすぎを行うために、洗浄室に向けて水を噴射する噴射ノズルに関するものである。
【０００２】
【従来の技術】
従来から一般的に利用されている食器洗浄機には、洗浄室内の上下に洗浄ノズルやすすぎノズルが配置されている。食器類の洗浄時において、洗浄タンク内に溜められた洗剤水をポンプによって洗浄ノズルに供給し、洗浄ノズルから洗剤水を噴射することで、食器類を上下から効率良く洗浄する。また、洗剤による食器洗浄後、ポンプによって清水をすすぎノズルから噴射すると、食器類を上下から効率良くすすぐことができる。
【０００３】
【特許文献１】
実公平７−５８０７号公報
【特許文献２】
実開昭６０−８６２５６号公報
【０００４】
【発明が解決しようとする課題】
しかしながら、前述した洗浄ノズルやすすぎノズルの噴射孔は、水平に延びるノズル本体に対し一体的に形成されており、洗浄室の大きさやポンプの能力に応じてノズル自体の設計変更を余儀なくされているのが現実であった。また、洗浄する食器の種類は多岐に及んでいるので、画一的な噴射孔形状では、ユーザの要求にも対応し難いといった問題点があった。
【０００５】
本発明は、特に、汎用性の高い食器洗浄機用噴射ノズルを提供することを目的とする。
【０００６】
【課題を解決するための手段】
本発明に係る食器洗浄機用噴射ノズルは、洗浄室内に配置されて、ノズル本体から洗浄室に向けて水を噴射する食器洗浄機用噴射ノズルにおいて、ノズル本体に設けられた連通孔を覆うようにノズル本体に装着される噴水部品を備え、噴水部品は、ノズル本体に対し回転自在に取り付けられると共に、噴水部品の回転にあたって連通孔に位置合わせされる複数の噴射孔を有することを特徴とする。
【０００７】
この食器洗浄機用噴射ノズルにおいて、噴水部品には、ノズル本体に設けられた連通孔に対して選択的に位置合わせされる複数の噴射孔が設けられ、ノズル本体には、別部品としての噴水部品が回転自在に取り付けられている。よって、噴水部品を回しながら、任意の噴射孔と連通孔とを位置合わせすると、所望の噴射孔を任意に選択することができる。これにより、洗浄室の大きさやポンプの能力が異なっている食器洗浄機であっても、噴射ノズルの共有化を図ることができ、このことは、製造コスト削減の一助をなすものである。また、利用される食器類は極めて多種多様に及ぶことに鑑みて、ユーザ毎に起こり得る要求に対して現地でも対応し易くなる。
【０００８】
また、噴水部品は、リング状に形成されると共に、ノズル本体の外周に装着されて周方向に回転自在であり、噴射孔は、噴水部品の周方向に並ぶように配置されると好適である。このような噴水部品は、ノズル本体の外形が円形の場合に特に有効である。
【０００９】
また、噴水部品は、ノズル本体の外面に装着されて水平面上で回転自在であり、噴射孔は、噴水部品における回転軸線の周囲に環状に並ぶように配列されると好適である。このような噴水部品は、ノズル本体の外形が偏平な場合に特に有効である。
【００１０】
【発明の実施の形態】
以下、図面を参照しつつ本発明に係る食器洗浄機用噴射ノズルの好適な実施形態について詳細に説明する。
【００１１】
［第１実施形態］
図１に示すように、食器洗浄機１は、ステンレスの筐体からなる洗浄機本体２と、この洗浄機本体２に設けられた洗浄室Ｓの開閉を行うステンレス製のドアＤとから主として構成されている。この食器洗浄機１は、いわゆるドアタイプと呼ばれるものであり、ドアＤを鉛直方向に上下動させることで洗浄室Ｓの開閉を可能にしている。
【００１２】
この洗浄機本体２は、４本の脚３により床上に支持され、洗浄機本体２の下部には機械室及び洗浄タンクが形成され、上部には洗浄室Ｓが形成されている。この機械室内には、洗浄用ポンプ、すすぎ用ポンプ、制御用の電装箱などが収容されている。これに対し、洗浄室Ｓの上部には、フリー回転自在なＹ字状の上側洗浄ノズル（噴射ノズル）１０と、フリー回転自在な一直線状の上側すすぎノズル（噴射ノズル）１１とが配置されている。同様に、洗浄室Ｓの下部にも、フリー回転自在なＹ字状の下側洗浄ノズル（噴射ノズル）１２と、フリー回転自在な一直線状の下側すすぎノズル（噴射ノズル）１３とが配置されている。このような上下２段のノズル構成によって、洗浄効率やすすぎ効率が高められている。
【００１３】
また、洗浄機本体２内で、上側すすぎノズル１１と下側すすぎノズル１３との間に出現する洗浄室Ｓ内において、下側すすぎノズル１３の上方には、食器ラック（図示せず）を載置させるための金属製ラックレール（図示せず）が着脱自在に配置されている。この食器ラックは、飲食後の皿、茶碗、コップなどの食器を一括して自動洗浄するためのものである。この食器ラックを格子状に形成することで、食器を上下から同時に洗うことを可能にする。食器の一括搬送を可能にするこのような食器ラックを利用するタイプの食器洗浄機１は、喫茶店、レストラン、一般家庭などの厨房で幅広く利用されている。
【００１４】
次に、前述した食器洗浄機１の動作について簡単に説明する。なお、洗浄運転時においては、前回のすすぎの際に洗浄水タンク内に溜められている６０°Ｃ程度の洗浄水が利用される。先ず、洗浄開始ボタンをＯＮすると、洗浄用の循環ポンプによって洗浄水が上側及び下側洗浄ノズル１０，１２から噴射を開始する。このとき、各洗浄ノズル１０，１２は、噴射力の反力によって常に回転し続け、このような回転によって洗浄水が満遍なく食器に当たり続けるので、食器から汚損物が効率良く洗い落とされる。そして、洗浄工程を所定時間行った後、すすぎ工程に移行する。
【００１５】
すすぎ運転時においては、所定容量をもったすすぎ水タンク（図示せず）内に溜められている８０°Ｃの新鮮な温水が利用される。そして、すすぎ工程に移行した際、すすぎ用の循環ポンプの駆動により、新鮮なすすぎ水が上側及び下側すすぎノズル１１，１３から噴射すると、各すすぎノズル１１，１３は、噴射力の反力によって常に回転し続け、このような回転により、すすぎ水が満遍なく食器に当たり続け、食器を効率良くすすぎ続ける。なお、すすぎ時に洗浄水タンク内に溜められる温水は、水の利用効率を高めるために洗浄水として再利用される。
【００１６】
このような食器洗浄機１において、図２に示すような洗浄ノズル（噴射ノズル）１０，１２が回転自在に取り付けられている。この洗浄ノズル１０は円筒状の支持部１４を有し、この支持部１４は、洗浄水供給管１６（図１参照）の下端部に取り付けられた回転軸部（図示せず）に対して回転可能に装着されている。支持部１４には、３本のノズル本体１８が等角度で放射状に固定され、各ノズル本体１８は、水平方向に延在すると共に、洗浄水の流動を可能にするために断面円形に形成されている。そして、各ノズル本体１８には、汎用性の高い洗浄ノズル１０を達成するための噴水部品２０が装着されている。この場合、一本のノズル本体１８に３個の連通孔１９（図４参照）が設けられている関係上、３個の噴水部品２０が一本のノズル本体１８に装着されている。
【００１７】
図３及び図４に示すように、噴水部品２０は、ノズル本体１８の外形が円形であることに対応してリング状（円筒状）に形成されると共に、ノズル本体１８に設けられた連通孔１９を覆う位置でノズル本体１８に回転自在に装着されている。この噴水部品２０は、ノズル本体１８の遊端側から挿入され、ノズル本体１８の外周に装着されて周方向に回転自在である。また、噴水部品２０には、径の異なる３種類の噴射孔２１が設けられ、噴水部品２０の周方向への回転にあたって、一個の連通孔１９に対する位置合わせを可能にするため、各噴射孔２１は、噴水部品２０の周方向に一列に並ぶように配置されている。
【００１８】
さらに、噴水部品２０には、半径方向に延在する雌ねじ部２２が設けられ、この雌ねじ部２２には止めネジ２３が螺着されている。そして、止めネジ２３の先端をノズル本体１８の表面に押し当てるようにネジ込むことで、洗浄ノズル１０の使用時において、ノズル本体１８から噴水部品２０が脱落することを防止する。これに対し、止めネジ２３を緩めることで、連通孔１９に対する噴射孔２１の選択調整時に、噴水部品２０を任意の方向に回動させることができる。
【００１９】
このような噴水部品２０の採用により、例えば、洗浄室Ｓの大きさや洗浄ポンプの能力が異なっている食器洗浄機１であっても、洗浄ノズル１０を共有化することができ、製造コストの削減が図られる。また、利用される食器類は極めて多種多様に及ぶことに鑑みて、ユーザ毎に起こりうる要求に対しても現地で対応し易くなる。
【００２０】
なお、ノズル本体１８に対して噴水部品２０を適度な圧入力をもって装着させると、連通孔１９に対する噴射孔２１の選択調整時において、噴水部品２０を所定の方向に回動させることができるが、洗浄ノズル１０の使用時には脱落しない程度の摩擦力を発生させることもできる。また、下側の洗浄ノズル１２は、前述した洗浄ノズル１０と同等の構成を有しているので、前述した噴水部品２０の適用は可能である。
【００２１】
［第２実施形態］
図５に示すように、洗浄ノズル３０は円筒状の支持部３４を有し、この支持部３４は、洗浄水供給管１６の下端部に取り付けられた回転軸部（図示せず）に対して回転可能に装着されている。支持部３４には、３本のノズル本体３８が等角度で放射状に固定され、各ノズル本体３８は、水平方向に延在すると共に、洗浄水の流動とスペース効率の向上とを図るために偏平な断面形状を有している。そして、各ノズル本体３８には、汎用性の高い洗浄ノズル３０を達成するための噴水部品４０が装着されている。この場合、一本のノズル本体３８に３個の連通孔３９（図７参照）が設けられているので、一本のノズル本体３８に３個の噴水部品４０が装着されることになる。
【００２２】
図６及び図７に示すように、この噴水部品４０は、ノズル本体３８の外形が偏平であることに対応して円盤状に形成され、ノズル本体３８に設けられた連通孔３９を覆う位置でノズル本体３８に回転自在に装着されている。ノズル本体３８の平面部３８ａには円錐台形状の座部４２が一体的に形成され、この座部４２には、鉛直方向に延びる連通孔３９が設けられている。
【００２３】
これに対し、噴水部品４０の底面には、座部４２を嵌め込むための円錐台形状の凹部４０ａが設けられ、座部４２が円錐台形状ゆえに、座部４２に嵌め込まれた噴水部品４０は、水平面上で回転軸線Ｐを中心として回転自在をなす。また、噴水部品４０には、径の異なる３種類の噴射孔４１が設けられている。噴水部品４０の回転にあたって一個の連通孔３９に対する位置合わせを可能にするため、噴水部品４０において、各噴射孔４１は、回転軸線Ｐの周囲に環状に一列に並ぶように配置されていると共に、連通孔３９と一直線状になるように上下方向に延在する。
【００２４】
さらに、噴水部品４０の頂部には、回転軸線Ｐ上において上下方向に延在するネジ挿通孔４４が設けられ、座部４２の頂部には、ネジ挿通孔４４の延長上に雌ねじ部４３が設けられている。また、雌ねじ部４３には、上方から止めネジ４６が螺着される。そこで、止めネジ４６の先端部分をノズル本体３８の雌ねじ部４３にネジ込んで、座部４２の表面に凹部４０ａの表面を圧着させることで、洗浄ノズル３０の使用時において、ノズル本体３８から噴水部品４０が脱落することを防止する。また、雌ねじ部４３から止めネジ４６を外すことで、連通孔３９に対する噴射孔４１の選択調整時において、噴水部品４０を任意の方向に回動させることができる。
【００２５】
本発明は、前述した実施形態に限定されるものではない。例えば、噴射圧力の選択を優先する場合は、複数個の噴射孔２１，４１のそれぞれの大きさ（径）を異ならせ、噴射方向の選択を優先する場合には、複数個の噴射孔２１，４１のそれぞれの孔形状を異ならせる。なお、選択可能な複数個の噴射孔２１，４１の種類としては、大きさが異なる場合や、形状が異なる場合の他に、噴射向きが異なる場合や、噴射孔の数が異なる場合など様々な場合が想定されている。また、噴射孔２１，４１の個数は任意であることは言うまでもない。更に、噴水部品２０，４０の適用例としては、前述した洗浄ノズル１０，１２，３０に限られず、すすぎノズル１１，１３であってもよい。
【００２６】
【発明の効果】
本発明による食器洗浄機用噴射ノズルは、以上のように構成されているため、次のような効果を得る。すなわち、洗浄室内に配置されて、ノズル本体から洗浄室に向けて水を噴射する食器洗浄機用噴射ノズルにおいて、ノズル本体に設けられた連通孔を覆うようにノズル本体に装着される噴水部品を備え、噴水部品は、ノズル本体に対し回転自在に取り付けられると共に、噴水部品の回転にあたって連通孔に位置合わせされる複数の噴射孔を有することにより、汎用性の高い食器洗浄機用噴射ノズルが可能となる。
【図面の簡単な説明】
【図１】本発明に係る噴射ノズルを適用する食器洗浄機の一実施形態を示す斜視図である。
【図２】本発明に係る噴射ノズルの第１の実施形態を示す斜視図である。
【図３】図２の噴射ノズルに適用する噴水部品を示す斜視図である。
【図４】図２のＩＶ−ＩＶ線に沿う断面図である。
【図５】本発明に係る噴射ノズルの第２の実施形態を示す斜視図である。
【図６】図５の噴射ノズルに適用する噴水部品を示す斜視図である。
【図７】図５のＶＩＩ−ＶＩＩ線に沿う断面図である。
【符号の説明】
１…食器洗浄機、１０，１２，３０…洗浄ノズル（噴射ノズル）、１１，１３…すすぎノズル（噴射ノズル）、１８，３８…ノズル本体、１９，３９…連通孔、２０，４０…噴水部品、２１，４１…噴射孔、Ｓ…洗浄室。
【図１】
2004305583.tif 000003
【図２】
2004305583.tif 000004
【図３】
2004305583.tif 000005
【図４】
2004305583.tif 000006
【図５】
2004305583.tif 000007
【図６】
2004305583.tif 000008
【図７】
2004305583.tif 000009